【事件の表示】
　平成１１年特許願第３４６８９６号「ディスク」拒絶査定不服審判事件〔平成１３年　６月２２日出願公開、特開２００１−１６７５２５〕について、次のとおり審決する。
【結　論】
　本件審判の請求は、成り立たない。
【理　由】
１．手続の経緯、本願発明
　本願は、平成１１年１２月６日の出願であって、その請求項１ないし７に係る発明は、平成２１年６月１日付けで手続補正された明細書の特許請求の範囲の請求項１ないし７に記載されたとおりのものと認められるところ、請求項１に係る発明（以下、「本願発明」という。）は、次のとおりである。
　
「【請求項１】
　主データが記録される主データ記録領域と、再生又は記録する際に照射されるレーザービームの出力の大きさなどの規格データが記録される規格データ記録領域と、を有し、データの再生又は記録が行われるとき、レーザービームが照射されるとともにトラックの線速度が一定になるようにＣＬＶ制御で回転制御されるディスクにおいて、
　位置情報となるアドレスデータが２つずつ記録され、一方のアドレスデータがランド部の一方の側壁部に形成される第１ウォブルによって記録されるとともに、他方のアドレスデータがランド部の他方の側壁部に形成される第２ウォブルによって記録されるとともに、前記第１及び第２ウォブルが前記トラックに沿って交互に構成され、
　前記ディスクに構成されるランド部及びグルーブ部の両方に、トラックが形成され、又、前記規格データ記録領域がディスクの外周に形成され、
　前記規格データが、前記規格データ記録領域のランド部の、前記第１ウォブルと同じ側の側壁部に形成された第３ウォブルによって記録され、
　前記規格データ記録領域においては、各ウォブルは、前記トラックに沿って、前記第１ウォブル、前記第２ウォブル、前記第３ウォブルの順に周期的に形成され、
　前記規格データ記録領域が再生されたとき、前記規格データ記録領域のランド部またはグルーブ部に記録される補助データが再生されて得られる信号の周波数が、前記第３ウォブルが再生されて得られる信号の周波数よりも低くなるように、前記補助データの前記トラック方向の記録密度が下げられて記録されることを特徴とするディスク。」
　
２．引用例
　
（１）引用例１
　これに対し、当審において平成２１年３月３１日付けで通知した拒絶の理由に引用した特開平１０−２０８２５０号公報（以下、「引用例１」という。）には、図面とともに以下の技術事項が記載されている。なお、下線は当審で付した。
　
（ａ）「【０００１】
【発明の属する技術分野】本発明は、光ディスク及び光ディスク記録／再生装置に関する。より詳細には、本発明は、
セクタアドレスの情報ピット列をランドトラックとグルーブトラックの中間にウォブルさせて配置した光ディスク
　
（ｂ）「【００４７】（実施例１）図１は、本発明による光ディスク４０１の第１の実施例の外観図を示したものである。光ディスク４０１には、
凸状のトラック４０２（ランドトラック）と凹状のトラック４０３（グルーブトラック）の２本のスパイラル状のトラック４０４
【００４８】
情報の記録および／又は再生は双方のトラック４０２及び４０３に対して行われ
１周のトラックが複数のセクタに分割されている場合、各セクタに対してアドレス領域４０５とデータ領域４０６とが割り当てられる
【００４９】光ディスク４０１は、基板と基板上に形成された各種の膜（不図示）とを備えている。これらの膜には、情報を記録するための公知の記録膜、反射膜及び保護膜等が含まれる。また、光ディスク４０１は、各々が情報記録面を有する２枚の基板を張り合わせたタイブの光ディスクであっても良い。以下の各実施例の光ディスクについても、このことは当てはまる。
【００５０】次に、図２を参照する。図２は、光ディスク４０１のアドレス領域４０５をより詳細に示したものである。図２に示されているように、トラック４０３ａ、４０２ａ、４０３ｂ及び４０２ｂのそれぞれには、各トラック（またはセクタ）のアドレスを示すアドレス領域４０５が割り当てられている。
【００５１】グルーブトラック４０３ａのアドレスを示すために、アドレス領域４０５の中には、相互に同一のピット列からなる一対のアドレスブロック４１１ａ及び８０１ａが設けられている。グルーブトラック４０３ｂりアドレスを示すために、同一のピット列からなる一対のアドレスブロック４１１ｂ及び８０１ｂが設けられ、グルーブトラック４０３ｃのアドレスを示すために、同一のピット列からなる一対のアドレスブロック４１１ｃ及び８０１ｃが設けられている。なお、トラック（またはセクタ）毎に、アドレスブロックのピットパターン（ピット列）が示す情報の内容は異なる。
【００５２】図２から明らかなように、例えば、
一対のアドレスブロック４１１ｂ及び８０１ｂは、グルーブトラック４０３ｂのトラック中心４０８に対して、それぞれ、反対側にシフトした位置に配置されている。シフトの量は、トラックピッチＴｐの約半分である
【００５３】より詳細には、アドレスブロック４１１ｂは、グルーブトラック４０３ｂとグルーブトラック４０３ｂの外周側で隣接するランドトラック４０２ｂとの境界線４０９を中心としてグルーブトラック４０３ｂとランドトラック４０２ｂの双方にまたがるように形成されている。また、アドレスブロック８０１ｂは、グルーブトラック４０３ｂとグルーブトラック４０３ｂの内周側で隣接するランドトラック４０２ａとの境界線４０７を中心としてグルーブトラック４０３ｂとランドトラック４０２ａの双方にまたがるように形成されている。つまり、２つのアドレスブロック４１１ｂ及び８０１ｂをそれぞれグルーブトラック４０３ｂの中心４０８から約１／２Ｔｐだけ外周、内周方向へずらして形成する。ここでは、グルーブトラック、ランドトラック及びアドレスブロック４１１ｂ及び８０１ｂは同じ幅を有するものとしている。また、例えば、グルーブトラック４０３ｂ上の１つのアドレス領域４０５内に形成された２つのアドレスブロック４１１ｂと８０１ｂは、同一のアドレス情報を含んでいる。また、２つのアドレスブロックは、時間的に連続して再生されるように、トラック方向（光ディスクの円周方向）に沿って、連続した位置に設けられている。図示されていない他のすべてのアドレス領域においても同様に２つのアドレスブロックが形成されている。
【００５４】上記構成を採用により、例えば、図２の左部分のトラック４０３ｂのトラック中心４０８上を、それに沿って移動してきたレーザ光スポットは、アドレス領域４０５において、アドレスブロック４１１ｂ及び８０１ｂの両方の上を通過した後、図２の右部分のトラック４０３ｂのトラック中心４０８上を、それに沿って移動していくことになる。
【００５５】図２に示す
光ディスクのアドレス領域４０５は、ＣＡＶあるいはＺＣＡＶ（ＺＣＬＶ）フォーマットに従って形成されている
【００５６】この結果、グルーブトラック４０３ｂのデータを再生する場合には、アドレス領域４０５中に同じ値を有する２つのアドレスブロック（４１１ｂと８０１ｂ）の情報が再生され、ランドトラック４０２ｂのデータを再生した場合には、アドレス領域４０５中の異なる２つのアドレスブロック（４１１ｂと８０１ｃ）の情報が再生される。これらのトラックは、同じアドレスブロック４１１ｂを共有しているが、アドレスブロック４１１ｂに引き続いて再生されるアドレスブロック８０１ｂまたは８０１ｃの内容がアドレスブロック４１１ｂの内容に一致しているか、一致していないかによって、再生中のトラックがグルーブトラックであるか、ランドトラックであるのかを識別することが可能である。
【００５７】なお、図２では、第一のアドレスブロックがグルーブトラック４０３ｂとグルーブトラック４０３ｂの外周側で隣接するランドトラック４０２ｂの境界線４０９上に、第二のアドレスブロックがグルーブトラック４０３ｂとグルーブトラック４０３ｂの内周側で隣接するランドトラック４０２ａの境界線４０７上に設けられたディスクについてであったが、第一のアドレスブロックがグルーブトラック４０３ｂとグルーブトラック４０３ｂの内周側で隣接するランドトラック４０２ａの境界線４０７上に、第二のアドレスブロックがグルーブトラック４０３ｂとグルーブトラック４０３ｂの外周側で隣接するランドトラック４０２ｂの境界線４０９上に設けたディスクについても同様の効果が得られる。
【００５８】また、グルーブトラック上のデータ領域を識別するために設けられた二つのアドレスブロックが同じアドレス情報を持つ場合について説明したが、ランドトラック上のデータ領域を識別するために設けられた二つのアドレスブロックが同じアドレス情報を持つ場合も同様の効果が得られる。」
　
（ｃ）「【００８８】（実施例３）次に、本発明による光ディスクの第３の実施例を説明する。
【００８９】図９Ａ及び９Ｂは、本実施例におけるセクタアドレス領域での情報ブロックの配置を示している。本実施例の光ディスクにおいては、
セクタアドレス領域５にアドレス番号情報ではない付加情報を含む付加情報ブロック１０７、１０８、１０９が設けられている
【００９０】各アドレスブロック１６から１９は、アドレス番号とＩＤ番号を識別するためのアドレス情報を含んでいる。
アドレスブロック１６から１９と同じように、トラック中心から半径方向に概ねＴp／２の幅でずらして配置する
図９Ａのように、トラックの内周側、あるいは外周側のどちらか一方に付加情報ブロック１０７配置する
【００９１】以上の構成を採用することによって、セクタアドレス領域に付加情報を追加した場合でも、前述の実施例と同様に、アドレス情報と付加情報のトラックずれに対する読み取り性能の向上と、セクタアドレス領域中およびセクタアドレス領域通過直後のトラッキング制御の安定性が向上が実現できる。」
　
　上記記載事項及び図面を総合勘案すると、上記引用例１には、次の発明（以下、「引用発明」という。）が記載されている。
　
 「各セクタに対してアドレス領域とデータ領域とが割り当てられ、 
　アドレス領域は、ＺＣＡＶ（ＺＣＬＶ）フォーマットに従って形成され、
　１つのアドレス領域内に形成された２つのアドレスブロックは、同一のアドレス情報を含み、トラック方向に沿って、連続した位置に設けられ、ランドトラックとグルーブトラックの中間にトラックの内周側と外周側とに交互にずらして（ウォブルさせて）配置させ、
　続いて付加情報を含む付加情報ブロックを、トラックの内周側、あるいは外周側のどちらか一方、またはトラックの内周側と外周側とに交互にずらして配置した、
　光ディスク。」 
 が記載されていると認める。（以下「引用発明」という。） 
 　 
（２）引用例２
　同じく当審において通知した拒絶の理由に引用した国際公開第９８／５４７０３号パンフレット（以下、「引用例２」という。）には、図面とともに以下の技術事項が記載されている。
　
（ｄ）「［実施の形態７］
　第１１図は、本発明の実施の形態７に係る光記録媒体のアドレス領域１のトラック構造を示す平面図である。図１１に示されるように、アドレス領域１は第１のアドレス情報領域１１と第２のアドレス情報領域１２とを含む。そして、グルーブ３１の第１のアドレス情報領域１１の一方の側壁にウォブル８２が、第２のアドレス情報領域１２の同じ側の側壁にウォブル８１が形成される。また、グルーブ３１の他方の側壁は第１および第２のアドレス情報領域１１，１２を通じてウォブルされておらず平坦である。ここで、ウォブル８２はグルーブ３１に記録された、または記録されるべきデータのアドレス情報に応じて形成され、ウォブル８１はグルーブ３１に隣接するランド４１に記録された、または記録されるべきデータのアドレス情報に応じて形成される。
　同様に、グルーブ３２の第１のアドレス情報領域１１の一方の側壁にウォブル８３が、第２のアドレス情報領域１２の同じ側の側壁にウォブル８４が形成されており、グルーブ３２の他方の側壁には第１および第２のアドレス情報領域１１，１２を通じてウォブルが形成されておらず平坦とされる。ここで、ウォブル８３はグルーブ３２に記録された、または記録されるべきデータのアドレス情報に応じて形成され、ウォブル８４はグルーブ３２に隣接するランド４２に記録された、または記録されるべきデータのアドレス情報に応じて形成される。
　また、グルーブ３３の第１のアドレス情報領域１１の一方の側壁にウォブル８５が、第２のアドレス情報領域１２の同じ側の側壁にウォブル８６が形成されており、グルーブ３３の他方の側壁には第１および第２のアドレス情報領域１１，１２を通じてウォブルが形成されず平坦とされる。ここで、ウォブル８５はグルーブ３３に記録された、または記録されるべきデータのアドレス情報に応じて形成され、ウォブル８６はグルーブ３３に隣接するランド（図示していない）に記録された、または記録されるべきデータのアドレス情報に応じて形成される。
　図１２は、図１１に示されたアドレス領域１に記録されるアドレス情報のフォーマットを示す図である。図１２に示されるように、グルーブ３１の第１のアドレス情報領域１１は、４ビットの検出パターン（ＳＹＮＣ）９０と、８ビットのアドレス情報９１と、４ビットの誤り検出符号（ＣＲＣ）９２とを含む。また、グルーブ３１の第２のアドレス情報領域１２は、４ビットの検出パターン（ＳＹＮＣ）９３と８ビットのアドレス情報９４と４ビットの誤り検出符号（ＣＲＣ）９５とを含む。なお、アドレス情報９１，９４の記録方式は上記の実施の形態で説明した方式と同じである。
　本実施の形態７に係る光記録媒体の再生においては、たとえば、照射するレーザビームがグルーブ３１を走査した場合、第１のアドレス情報領域１１に含まれたアドレス情報９１と第２のアドレス情報領域１２に含まれたアドレス情報９４とが検出されるが、検出パターン９０と検出パターン９３とが相互に対称となっているため、この検出パターン９０，９３を検出することにより、検出されたアドレス情報９１，９４がグルーブ３１に記録された、または記録されるべきデータのアドレス情報かあるいはランド４１に記録された、または記録されるべきデータのアドレス情報かを識別できることになる。すなわち、データの再生においてグルーブ３１をレーザビームが走査する場合は、検出パターン９０の直後に検出されたアドレス情報９１がグルーブ３１に記録された、または記録されるべきデータのアドレス情報として認識され、ランド４１をレーザビームが走査する場合は、検出パターン９３の直後に検出されたアドレス情報９４がランド４１に記録された、または記録されるべきデータのアドレス情報として認識される。
　なお、上記において誤り検出符号（ＣＲＣ）を誤り訂正符号に置換えたものも同様に考えることができる。
　［実施の形態８］
　第１３図は、本発明の実施の形態８に係る光記録媒体のアドレス領域１のトラック構造を示す平面図である。図１３に示されるように、この光記録媒体は上記実施の形態７に係る光記録媒体と同様なトラック構造を有するが、ウォブル８１はウォブル８２が形成された側壁と対向するグルーブ３１の側壁に形成され、ウォブル８４はウォブル８３が形成された側壁と対向するグルーブ３１の側壁に形成され、ウォブル８６はウォブル８５が形成された側壁と対向するグルーブ３３の側壁に形成される点で相違する。ここで、ウォブル８２，８３，８５が形成された側壁は第２のアドレス情報領域１２においてウォブルされず平坦とされる。また、本実施の形態に係る光記録媒体においては、ウォブル８１はグルーブ３１に隣接するランド（図示していない）に記録された、または記録されるべきデータのアドレス情報に応じて形成され、ウォブル８４はランド４１に記録された、または記録されるべきデータのアドレス情報に応じて形成され、ウォブル８６はランド４２に記録された、または記録されるべきデータのアドレス情報に応じて形成される。
　第１４図は、図１３に示されたアドレス領域１に記録されたアドレス情報のフォーマットを示す図である。図１４に示されるように、このフォーマットは図１２に示されたフォーマットと同様なものである。
　本実施の形態８に係る光記録媒体の再生においては、たとえば、照射するレーザビームがグルーブ３２を走査した場合、第１のアドレス情報領域１１に含まれたアドレス情報９１と第２のアドレス情報領域１２に含まれたアドレス情報９４とが検出される。ここで、検出パターン９０の検出によりアドレス情報９１がグルーブ３２に記録された、または記録されるべきデータのアドレス情報であると認識される。一方、アドレス情報９４は、グルーブ３２に隣接するランド４１をレーザビームが走査し、かつ、検出パターン９３が検出されることによりランド４１に記録された、または記録されるべきデータのアドレス情報であると認識される。」（１０頁２８行〜１３頁１６行）
　
（３）引用例３
　同じく当審において通知した拒絶の理由に引用した特開平１１−４５４４１号公報（以下、「引用例３」という。）には、図面とともに以下の技術事項が記載されている。
　
（ｅ）「【００６７】ウォブル信号には上記クロッキングウォブルに加えて、ディスク上の絶対番地を示すためのいわゆるアドレス情報も記録される。このアドレス情報に関しては、アドレス情報の単位となるフレームの先頭位置のセグメントをアドレスセグメントとし、この部分にアドレス情報を記録する。アドレス情報にはバイフェーズ符号化方式を用いて変調されこのバイフェーズ信号によって、グルーブにウォブルを刻む。この時、ランドの記録再生でもクロッキングウォブルおよびアドレス情報を検出することが可能となるようにクロッキングウォブルについては、図６に示すようにランドを挟んで形成される両側のグルーブに関するウォブリングの波形形状が同じになるように形成する。また、アドレス情報については、従来と同様に、グルーブのトラック上での絶対番地を示すアドレス情報Ａに加えてクロッキングウォブル部と同様にランドの記録再生でもアドレス情報の検出が可能となるようにランドを挟んで形成される両側のグルーブに関するウォブリングの波形形状が同じになるように形成するアドレス情報Ｂとを図３（ｂ）および図３（ｃ）に示すように配置することにより、ランドの記録再生でもアドレス情報Ｂを検出することが可能となる。即ち、図３（ｂ）の円で示したレーザビームのスポットは、グルーブｍをトレースしているがこの場合、アドレス情報としてはｍ及びｎが検出できる。この場合、ｍは上述のアドレス情報Ａ、ｎは上述のアドレス情報Ｂに該当する。ここで、グルーブの記録再生ではアドレス情報Ａ及びアドレス情報Ｂの両方が検出可能であるが、このうちのどちらが該当するグルーブにおけるアドレスを示すのかを判別するための第１の実施の形態と同様のアドレスマークを付加する。
　
（ｆ）「【００７０】本実施の形態では、アドレス情報は図７に示すようにＳＹＮＣが４ビット、アドレスデータが２４ビット、ＣＲＣが１４ビットとしているが、ディスクの容量、アドレス番号の設定方法によって、これらのビット数は、この限りではない。また、アドレス番号に続く部分に例えば記録あるいは再生時のレーザパワーの条件設定や上述のアドレスマークの機能に代わる情報などのディスクにかかわる固有の情報をウォブルで記録して利用することも可能である。更に、アドレス情報のデータの符号化方式についてもバイフェーズ符号に限らず、マンチェスター符号やＮＲＺ，ＮＲＺＩ符号等を用いることも可能である。
【００７１】また、図７においては、データ領域は各区分に分離されたデータセグメントから構成されると説明したが、これに限るものではなく、領域に区分されないデータ領域であってもよい。図８にアドレスセグメント付近のウォブリング用の信号を示す。アドレスマークの機能に代わる情報をアドレスセグメントの部分にアドレス情報としてウォブルで記録した場合を示す。図８よりわかるように、結果的にクロッキングウォブルの部分についてもバイフェーズデータの値としてゼロが記録されていることとなる。従って、図７においてアドレスセグメントの部分には、アドレス情報のデータをバイフェーズ変調した信号が、また、データセグメントの部分には、値としてはゼロとなるデータをバイフェーズ変調した信号がそれぞれウォブルで記録されることとなる。」
　
（ｇ）「【００７３】本第２の実施の形態において用いられる記録再生装置は図９に示す構成であり、上記図１に記載された装置と殆ど同じであるが、コンパレータの後段にアドレスマーク検出器に並列的に、検出されたウォブル信号をディスクの回転制御回路とデータクロックの生成回路として機能するＰＬＬを設けた部分が異なるだけである。
第３の実施の形態
本第３の実施の形態においては、トラックの始端側に設けられたＴＯＣ（Ｔａｂｌｅ  ｏｆ  Ｃｏｎｔｅｎｔ）領域にウォブルを設けた記録または／および再生可能な光ディスクについて示す。図１０を参照して、ＴＯＣ領域に記載すべき情報である記録時のレーザパワー、再生時のレーザパワー、光ディスクの回転速度等のうち、記録時のレーザパワー、再生時のレーザパワーをウォブルとして記録し、その他の情報をピット列としてグルーブまたはランドの平坦部に記録した光ディスクについて説明する。記録時のレーザパワー、再生時のレーザパワーは光ディスクのグルーブ９２に設けられたウォブル９３として所定の周波数で記録する。ウォブルの周波数は２００ｋＨｚ〜１０ＭＨｚの範囲である。また、レーザパワー以外のＴＯＣ情報はランド９１、グルーブ９２にピット列９４として記録を行う。ＴＯＣ領域の長さはトラックの始端側から１６０μｍ程度である。ウォブルとピット列で記録したＴＯＣ情報はレーザビームを照射することにより再生を行う。ＴＯＣ情報をウォブルとピット列の両方で記録することにより高密度にＴＯＣ情報を記録することができるとともに、再生時に高速でＴＯＣ情報を再生できる。
第４の実施の形態
実際の光ディスクには多少の反りがあり、このような光ディスクを再生しようとした場合、半導体レーザから発せられたレーザビームの信号記録面での反射光は多少ずれた位置で光検出器に集光することになる。その結果、再生信号にはオフセットが発生する。本第４の実施の形態は、かかる再生信号のオフセットを補正する再生装置に関するものである。このオフセットは照射されるレーザビームがランドまたはグルーブの中心に照射されていないことに起因して発生する。」
　
（ｈ）「【０１０９】図３９、４０、４１を参照して、第１の消去方法について説明する。本発明に係る光磁気記録媒体３９は、内周部３９２と外周部３９１にＴＯＣ領域が設けられている。（中略）
【０１１１】図４４、４５、４６を参照して、第３の消去方法について説明する。光磁気記録媒体４４０は、内周部３９２と外周部３９１にＴＯＣ領域を有し、信号記録領域４４５には、再生信号に関する情報を記録した領域（以下、特定領域という）４４１、４４３と信号領域４４２、４４４とが組となって形成されている。（以下略）」
　
（４）引用例４
　同じく当審において通知した拒絶の理由に引用した特開平１０−２４１１６７号公報（以下、「引用例４」という。）には、図面とともに以下の技術事項が記載されている。
　
（ｉ）「【００１１】
【発明の実施の形態】図を参照して、本発明に係る実施の形態を説明する。図１は本発明に係る情報記録媒体の平面図を示したものである。情報記録媒体１は、ランドとグルーブとから成るトラック５をスパイラル状、もしくは同心円状に配してなり、信号を記録または再生する条件を含むＴＯＣ（Ｔａｂｌｅ  Ｏｆ  Ｃｏｎｔｅｎｔｓ）領域２を外周部、ＴＯＣ領域３を内周部に有し、ＴＯＣ領域２とＴＯＣ領域３との間にデータ領域４を有する平面構造をしている。ＴＯＣ領域２、および３はトラック数にして１００から１０００本程度の領域に亘って形成されている。情報記録媒体の内周部にＴＯＣ領域３を設けているのは、ＤＶＤでは、内周部から再生が開始されるために、その互換性を考慮したものである。
【００１２】また、本発明においては、情報記録媒体１は前記ＴＯＣ領域２のみを有する媒体であってもよい。図２を参照して、前記ＴＯＣ領域２、および３のトラックの構造について説明する。ＴＯＣ領域２、および３のトラックのグルーブ１０、１２の両側の壁には、ウォブル１３がバイフェーズで変調されて形成されており、このウォブル１３によりＴＯＣ情報の１つである信号の記録条件、再生条件等が記録されている。グルーブ１０、１２の両側の壁にウォブルを形成した結果、ランド１１の両側の壁にもウォブル１３が形成される構造となっている。
【００１３】トラックの構造は図２に示すものに限らず、図３に示すものでもよい。図３に示すトラックの構造においては、ＴＯＣ情報を記録するためのウォブル１３は、ウォブル１３より低周波数のウォブル１４に重畳して記録されている構造のものである。図３に示す構造の情報記録媒体では、前記ウォブル１４は信号を情報記録媒体に記録または再生するための同期信号として使用される。
【００１４】図２、３においては、ＴＯＣ情報はウォブルで記録されているが、これは信号を記録または再生するときに誤って強いレーザビームが照射されても消去されることがないように不揮発性とするためである。また、図２、３に示したトラック構造では、前記ウォブル１３、前記ウォブル１４はグルーブの両側の壁に形成されているが、これに限らず、グルーブのいずれか一方の壁に形成されていればよい。
【００１５】また、ＴＯＣ情報はウォブルで記録されるとして説明したが、これに限らず、ピットで形成されていてもよい。また、本発明における情報記録媒体には、光磁気記録媒体、光ディスク、相変化ディスク等が含まれる。また、更に、ウォブルはバイフェーズで変調されて記録されているとして説明したが、これに限らず、ＮＲＺＩ変調、１−７変調、２−７変調等の変調方式が使用できる。
【００１６】図４を参照して、前記ＴＯＣ領域２、３に記録されているＴＯＣ情報のフォーマットについて説明する。ＴＯＣ領域２、３には、少なくとも図４に示すテーブルが記録されており、記録時のレーザパワー、再生時のレーザパワー、情報記録媒体の回転速度、トラックの始端アドレス、および終端アドレス等がテーブルに含まれている。本発明においては、情報記録媒体の性能を最大限に引き出すための条件を記録し、情報記録再生装置はＴＯＣ領域に記録された上記の各条件を読み出すことにより情報記録再生装置の性能を最大限発揮できるように制御するものである。図４に示すテーブルは横８バイト、縦２５６バイトのテーブルであり、８バイト単位で２５６項目を登録することができる。従って、８バイト単位で記録条件、および再生条件等を記録することになる。
【００１７】図５を参照して、前記情報記録媒体１の前記データ領域４に記録されるデータフォーマットについて説明する。情報記録媒体の１トラックはＮｆ個のフレームに分けられる。１フレームは２７２０バイトの大きさで表され、９６バイトのアドレス領域と、２６２４バイトのデータ領域に分割されている。データ領域は、ＮＲＺＩ変調を使用して記録、もしくは再生が行われる。アドレス領域は上記で説明したように記録情報が消去できない不揮発性の形成、ウォブルで設けられており、９６バイトの長さを持ち、アドレス部の最小の１ウォブル周期は１バイトである。（以下略）」　
　
（ｊ）「【００２１】（中略）この長さで、ＴＯＣ情報が前記ＴＯＣ領域２、３において繰り返し記録されている。」
　
（５）引用例５
　同じく当審において通知した拒絶の理由に引用した特開平１０−２０８３０５号公報（以下、「引用例５」という。）には、図面とともに以下の技術事項が記載されている。
　
（ｋ）「【００２１】この光ディスクは、図１（ｃ）に示すように、グルーブを形成する壁の一方がウォブルすなわち蛇行している。なお、この壁は、ランドとグルーブの境界である壁、すなわち、溝部と凸部との境界として形成される壁であり、以下、この壁を便宜的にグルーブを形成する壁とする。また、この光ディスクでは、ウォブルしている壁が一定周期毎にグルーブを形成する壁の一方から他方の壁に切り換えられている。つまり、この光ディスクの１のトラックからみると、トラックの一方の壁（例えば径方向に外周側の壁）がウォブルされていると、他方の壁（例えば径方向に内周側の壁）が直線となっている。また、このトラックを記録方向に一定周期進むと、このウォブルされている壁が切り換えられ、トラックの一方の壁（例えば径方向に内周側の壁）がウォブルされ、他方の壁（例えば径方向に外周側の壁）が直線となっている。なお、ここで、トラックの壁が直線となっていると説明したが、正確には、トラックは、ディスクの中心を軸とする円を描いている。」
　
（ｌ）「【００２６】この光ディスクでは、上述したようにウォブルされる壁が一定周期で切り換えられている。この切換周期は、ウォブル信号の振幅の位相が一致する位置で切換が行われるのが望ましい。例えば、この光ディスクでは、図１に示すように、チャンネルデータのクロック周期で切り換えられている。すなわち、この光ディスクでは、チャンネルデータとビットデータとの関係が上述の式（１）で示す関係を満足しているため、チャンネルデータのクロック周期単位で必ず位相が一致する。また、同様に、この光ディスクでは、ウォブルされる壁の切換周期がこのチャンネルクロックの整数倍であっても位相が一致する。」
　
（６）引用例６
　同じく当審において通知した拒絶の理由に引用した特開平１１−１６２１４５号公報（以下、「引用例６」という。）には、図面とともに以下の技術事項が記載されている。
　
（ｍ）「【００２４】ＴＯＣ情報は、リードインエリアＬＩＡ、プログラムエリアＰＧＡ及びリードアウトエリアＬＯＡのいずれのエリアに記述されていても良い。但し、ＬＩＡでは、Ｑチャネルのサブコードにその位置の絶対時間やヘッダについての情報が存在しない場合も考えられ、この場合には何らかの時間コードが必要になる。また、ＬＩＡの全面を使用して繰り返しＴＯＣ情報を記録すれば、ＬＩＡのどこをアクセスしてもＴＯＣ情報を読むことができるので、このような時間コードは不要になる。プログラムエリアＰＧＡにＴＯＣ情報を記録するには、その光ディスク１１に記録されたデータがモード１又はモード２フォーム１によるＲＯＭデータもしくはＸＡデータとして再生可能であることが望ましい。モード１又はモード２フォーム１の場合、４バイトをＥＤＣに、２７６バイトをＥＣＣに使用するので、オーディオデータよりもエラー訂正能力が高く、ＴＯＣ情報としては、それが制御データとして使用される関係上、エラー訂正能力が高い方が好ましいからである。」
　
　
３．対比
　引用発明の「光ディスク」は、本願発明の「ディスク」に相当する。
　引用発明の「データ領域」は、本願発明の「主データが記録される主データ記録領域」に相当する。 
 　引用発明は、「アドレス領域は、ＺＣＡＶ（ＺＣＬＶ）フォーマットに従って形成され」るものであって、アドレス領域のみならずデータの再生又は記録においてもＺＣＬＶ制御で回転制御がなされることは自明であるから、本願発明における「データの再生又は記録が行われるとき、レーザービームが照射されるとともにトラックの線速度が一定になるようにＣＬＶ制御で回転制御される」に相当する構成を実質的に有する。 
　引用発明における「２つのアドレスブロック」は、「同一のアドレス情報を含」むのであるから、本願発明における「位置情報となるアドレスデータが２つずつ記録され」るものに相当し、「トラック方向に沿って、連続した位置に設けられ、ランドトラックとグルーブトラックの中間にウォブルさせて配置した」のであるから、本願発明における「トラックに沿って交互に構成され」の点において共通する。 
 　　　　 
　すると引用発明と本願発明との一致点及び相違点は、以下のとおりである。
　
＜一致点＞ 
 「主データが記録される主データ記録領域を有し、データの再生又は記録が行われるとき、レーザービームが照射されるとともにトラックの線速度が一定になるようにＣＬＶ制御で回転制御されるディスクにおいて、 
　位置情報となるアドレスデータが２つずつ記録されるとともに前記トラックに沿って交互に構成され、 
　前記ディスクに構成されるランド部及びグルーブ部の両方にトラックが形成されるディスク。」である点。 
　
　
＜相違点１＞ 
　本願発明は、「再生又は記録する際に照射されるレーザービームの出力の大きさなどの規格データが記録される規格データ記録領域」を有し、「前記規格データ記録領域がディスクの外周に形成され」と特定されるのに対し、引用発明では、規格データの記録について特定がない点。
　
＜相違点２＞ 
　本願発明は、アドレスデータについて「一方のアドレスデータがランド部の一方の側壁部に形成される第１ウォブルによって記録されるとともに、他方のアドレスデータがランド部の他方の側壁部に形成される第２ウォブルによって記録されるとともに、前記第１及び第２ウォブルが前記トラックに沿って交互に構成され」と特定されるのに対し、引用発明は、ランドの側壁にウォブルを形成することについて特定がない点。
　
＜相違点３＞ 
　本願発明は、規格データについて、
「規格データが、前記規格データ記録領域のランド部の、前記第１ウォブルと同じ側の側壁部に形成された第３ウォブルによって記録され、
　前記規格データ記録領域においては、各ウォブルは、前記トラックに沿って、前記第１ウォブル、前記第２ウォブル、前記第３ウォブルの順に周期的に形成され」
と特定されるのに対し、引用発明は、このような特定がない点。 
　
＜相違点４＞
　本願発明は、規格データ記録領域について、
「前記規格データ記録領域が再生されたとき、前記規格データ記録領域のランド部またはグルーブ部に記録される補助データが再生されて得られる信号の周波数が、前記第３ウォブルが再生されて得られる信号の周波数よりも低くなるように、前記補助データの前記トラック方向の記録密度が下げられて記録される」
と特定されるのに対し、引用発明は、このような特定がない点。 
　
４．判断　
＜相違点１について＞ 
　光ディスクにおいて「再生又は記録する際に照射されるレーザービームの出力の大きさなどの規格データが記録される規格データ記録領域」を有し、「前記規格データ記録領域がディスクの外周に形成され」ることは、引用例３（【００７０】【００７３】【０１０９】【０１１１】参照）、引用例４（【００１１】【００１２】【００１６】参照）に記載されるように周知技術であって、引用発明の光ディスクも記録再生を前提としているから、引用発明に前記周知技術を採用することは、当業者が容易に想到しうることである。
　
＜相違点２について＞ 
　ランド部の側壁部に形成するウォブルによりアドレス情報を記録することは引用例２ないし引用例４に示されているように周知技術であり、また、引用例３には、アドレスマークに代えてウォブルによりアドレス情報を記録してもよいことが記載されているとともに、引用例２には、ランドの一方の側壁部と他方の側壁部に各々ウォブルを形成することで１つのアドレス領域に２つのアドレス情報領域を形成する技術が記載されている（主に実施の形態８を参照。）から、引用発明に前記引用例２及び３に記載されるアドレス情報が記録されたウオブルの形態を適用することで、「一方のアドレスデータがランド部の一方の側壁部に形成される第１ウォブルによって記録されるとともに、他方のアドレスデータがランド部の他方の側壁部に形成される第２ウォブルによって記録される」ようにすることは、当業者が容易に想到しうるものである。 
 　 
＜相違点３について＞ 
　引用発明には、アドレスブロックに続いて付加情報を含む付加情報ブロックを交互にずらして配置することが特定されているから、アドレス情報をウオブルで形成して、一方と他方の側壁に交互に形成する際には、付加情報も続けてウォブルで形成することは当然想到しうることにすぎず、ウォブルされている壁を切り換えることが周知（引用例５（【００２１】【００２６】等参照。））であるから、形成する側壁も交互に、すなわち第１のウォブルと同じ側に形成することは当業者が容易に想到しうることである。
　また、規格データが周期的に形成されることは周知（引用例４（【００２１】）、引用例６（【００２４】）等参照。）であることも考慮すると、引用発明において、アドレス領域の第１ウォブル及び第２ウォブル、そしてデータ領域の規格データが記録されたウォブルがこの順に形成されてなるセクタにより規格データ記録領域を形成する際、規格データが記録されたウォブルを第１ウォブルと同じ側とし、そのようにしてなるセクタを周期的に形成すること、すなわち、「前記規格データが、前記規格データ記録領域のランド部の、前記第１ウォブルと同じ側の側壁部に形成されたウォブルによって記録され、前記規格データ記録領域においては、各ウォブルは、前記トラックに沿って、前記第１ウォブル、前記第２ウォブル、前記規格データが記録されたウォブルの順に周期的に形成される」とすることは、当業者が適宜なし得る程度の事項にすぎない。 
 　 
＜相違点４について＞ 
　引用例３の【００７３】には、「ＴＯＣ領域に記載すべき情報である記録時のレーザパワー、再生時のレーザパワー、光ディスクの回転速度等のうち、記録時のレーザパワー、再生時のレーザパワーをウォブルとして記録し、その他の情報をピット列としてグルーブまたはランドの平坦部に記録した光ディスク」が記載されている。前記「その他の情報」は、本願発明の「補助情報」と用語上異なる程度のものであるから、前記引用例３の構成を引用発明に適用することで、「規格データ記録領域が再生されたとき、前記規格データ記録領域のランド部またはグルーブ部に記録される補助データが再生され」るディスクとすることは当業者が容易に想到しうることである。
　また、「再生されて得られる信号の周波数が、前記第３ウォブルが再生されて得られる信号の周波数よりも低くなるように、前記補助データの前記トラック方向の記録密度が下げられて記録される」点については、情報記録再生技術においては、記録する情報の記録密度を上げることは困難を伴うが、通常、記録密度を下げることに格別の困難はなく、例えば特開平９−３０６０３０号公報（以下、「周知例１」という。）に、アドレス部の情報記録密度を下げるように記録すること（図５、図６参照）、特開平７−７３５０６号公報（以下、「周知例２」という。）に、リードイン信号領域の記録密度を下げること（【００１７】、図３参照）が記載され、周知例２において、前記リードイン領域は、【００１８】段落の記載を参照すると、「照射レーザビームの光強度を規定する光強度情報が記録される」点において本願発明の「規格データ記録領域」と一致することからすると、引用発明に引用例３の構成を適用して「規格データ記録領域が再生されたとき、前記規格データ記録領域のランド部またはグルーブ部に記録される補助データが再生され」るように構成する際に、「第３ウォブルが再生されて得られる信号」との分離も考慮すると、前記周知例１、２に記載されたアドレス部又はリードイン領域の記録密度を下げる構成を採用することにより、「再生されて得られる信号の周波数が、前記第３ウォブルが再生されて得られる信号の周波数よりも低くなるように、前記補助データの前記トラック方向の記録密度が下げられて記録される」ものとすることは当業者が適宜なしうることにすぎない。
　
　そして、上記各相違点を総合的に判断しても、本願発明が奏する効果は、引用例１に記載された発明及び周知技術から、当業者が十分に予測できたものであって、格別なものとはいえない。
　
５．むすび
　以上のとおり、本願の請求項１に係る発明は、引用例１ないし引用例６に記載された発明に基づいて当業者が容易に発明をすることができたものであるから、特許法第２９条第２項の規定により特許を受けることができない。
　したがって、本願は、その余の請求項について論及するまでもなく、拒絶すべきものである。　
　よって、結論のとおり審決する。